(57)【要約】  【課題】従来の自然対流式固定オーブン釜は、複数の焼成物に対して同条件の熱量を与える事は難しく、炉内の場所による焼き色違い、焼き斑となりやすく、特に、炉内奥に置いた焼成物と、ドア周辺に置いた焼成物では焼き色が違ってしまうことがある。  【解決手段】炉内１と、断熱材２と、外郭部３と、上火用ヒータ４と、下火用ヒータ５と、炉床６と、ドア７と、ドア７に設置されたガラス８と、ガスケット９と、ヒンジ１０と、上火用ヒータ４と下火用ヒータ５の輻射熱の影響を受けるパネル１１からなる自然対流式固定オーブン釜であり、パネル１１によって炉内奥に設置された焼成物と、ドア周辺に設置された焼成物の焼き色差を無くす事が出来る。【選択図】図１
2005127626.tif 000002
【特許請求の範囲】
【請求項１】
パンや菓子などを焼成するためオーブン釜において、焼成炉内の上面と底面にそれぞれヒータを備え、焼成炉の前面に設けたドアに前記ヒータの輻射熱を受けるためのパネルを設けたことを特徴とする自然対流式固定オーブン釜。
【請求項２】
パンや菓子などを焼成するための炉内と、前記炉内を覆っている断熱材と、オーブンの外郭を形成している外郭部と、前記炉内に設置している上火用ヒータと、前記炉内に設置している下火用ヒータと、前記炉内の底に設置された炉床と、前記炉内に焼成物を出し入れするためのドアと、前記ドアに設置されたガラス窓と、前記ドアに取り付けられて、前記上火用ヒータと前記下火用ヒータの輻射熱を受けるパネルを設け、前記ガラス窓から炉内の焼成物を確認できるように前記パネルを前記ガラス窓の下方に配置したことを特徴とする自然対流式固定オーブン釜。
【請求項３】
パンや菓子などを焼成するための炉内と、前記炉内を覆っている断熱材と、オーブンの外郭を形成している外郭部と、前記炉内に設置している上火用ヒータと、前記炉内に設置している下火用ヒータと、前記炉内の底に設置された炉床と、前記炉内に焼成物を出し入れするためのドアと、前記ドアに設置されたガラス窓とからなり、前記炉床のドア側が高くなるように傾斜を設けたことを特徴とする自然対流式固定オーブン釜。
【請求項４】
前記炉床の前端部に高さを調節できる調節機構を設けたことを特徴とする請求項３に記載の自然対流式固定オーブン釜。
【発明の詳細な説明】
【技術分野】
【０００１】
本発明は自然対流式固定オーブン釜に関するものである。
【背景技術】
【０００２】
従来の自然対流式固定オーブン釜としては、焼成炉内の上面と底面にヒータを設けてパンや菓子などを焼成するもの（例えば、特許文献１参照）がある。この例ではオーブン釜は一般的な大きさで、焼成炉の構成が上下３段に構成されており、１段当たりの焼成炉のでは２０から４０個のパンを焼成することができる。
【０００３】
また、最近では、小店舗等で使用するため、焼成炉を小型化したものがあります。
【０００４】
以下図面を参照しながら小店舗等で使用される小型の自然対流式固定オーブン釜について説明をする。
【０００５】
図４は小型の自然対流式固定オーブン釜の断面図である。
【０００６】
炉内１はパンや菓子などを焼成するための室で、断熱材２は炉内１を覆っており、外郭部３がオーブンの外郭を形成している。
【０００７】
炉内１には上火用ヒータ４と下火用ヒータ５を設置し、炉内１の底には炉床６が設置されている。炉内１に焼成物１２を出し入れするためにドア７が設けられ、ドア７には内部を見るためのガラス窓８から構成されている。
以上のように構成された小型の自然対流式固定オーブン釜について、以下その動作について説明する。
【０００８】
通常、菓子やパンをオーブン釜で焼成する場合、予め上火用ヒータ４と、下火用ヒータ５を通電させて、炉内を焼成するために適した温度に上げておく。
【０００９】
次に焼成物（菓子やパン）を出し入れするためのドア７を開けて、焼成物を炉内の炉床の上に置き、ドア７を閉める。
【００１０】
次に上火用ヒータ４と、下火用ヒータ５を通電させて焼成物に適した時間、温度で焼き上げ、焼きあがったらドアを開けて焼成物を炉内から取り出す。
【００１１】
一般に自然対流式固定オーブン釜は炉内１の温度を均一に保つためのファンなどの強制対流は無く、炉内１の上面と下面に設置されたヒータ（上火用ヒータ４、下火用ヒータ５）などで炉内１温度を均一に保ち、一度に複数の焼成物を焼きあげる。焼成時間はタイマーなどを使って適した焼成時間を計測するが、最後は人間の目で焼きあがりを判断する。そのためドア７にはガラス窓８が設置されて炉内が見えるようになっている。
【特許文献１】特開２００１−１９３９３３号公報
【発明の開示】
【発明が解決しようとする課題】
【００１２】
しかしながら、上記従来の構成では、炉内１に入れられた複数の焼成物に同条件の熱量を与える事は難しく、それは焼成物の炉内１設置場所による焼き色違い、焼き斑となりやすい。
【００１３】
特に、炉内１の面から受ける輻射、反射の熱量と、ドア７のガラス窓８からうける熱量の違いは明らかであり、炉内１奥に設置された焼成物と、ドア７周辺に設置された焼成物では焼き色が違ってしまうという欠点があった。
【００１４】
本発明は従来の課題を解決するもので、炉内１奥に設置された焼成物と、ドア７周辺に設置された焼成物の焼き色差を無くすことができる自然対流式固定オーブン釜を提供することを目的とする。
【課題を解決するための手段】
【００１５】
本発明は、パンや菓子などを焼成するためオーブン釜において、焼成炉内の上面と底面にそれぞれヒータを備え、焼成炉の前面に設けた扉に前記ヒータの輻射熱を受けるためのパネルを設けたものであり、上下のヒータからの輻射熱をパネルが受けることにより、パネルが加熱され、さらに、パネルからも輻射熱が発せられる状態となり、焼成炉の奥の温度とドア近くの温度差を少なくできるために焼成物の焼きむらを少なくする。
【００１６】
また、本発明は、パンや菓子などを焼成するための炉内と、前記炉内を覆っている断熱材と、オーブンの外郭を形成している外郭部と、前記炉内に設置している上火用ヒータと、前記炉内に設置している下火用ヒータと、前記炉内の底に設置された炉床と、前記炉内に焼成物を出し入れするためのドアと、前記ドアに設置されたガラス窓と、前記ドアに取り付けられて、前記上火用ヒータと前記下火用ヒータの輻射熱を受けるパネルを設け、前記ガラス窓から炉内の焼成物を確認できるように前記パネルを前記ガラス窓の下方に配置したもので、上火用ヒータと下火用ヒータからの輻射熱によりパネルを加熱させ、パネルの発熱による焼成物の焼きむらを少なくするとともに、ガラス窓の下方にパネルを配置したことで、炉内の焼成物を見る際にパネルが視界を遮ることがなく容易に確認できる。
【００１７】
また、本発明は、パンや菓子などを焼成するための炉内と、前記炉内を覆っている断熱材と、オーブンの外郭を形成している外郭部と、前記炉内に設置している上火用ヒータと、前記炉内に設置している下火用ヒータと、前記炉内の底に設置された炉床と、前記炉内に焼成物を出し入れするためのドアと、前記ドアに設置されたガラス窓とからなり、前記炉床のドア側が高くなるように傾斜を設けたものあり、炉床のドア側を高くすることにより、炉床のドア側が上火用ヒータに近くなり、上火用ヒータから得られる輻射熱を増加させることで、ドアより逃げる輻射熱を差し引いても、炉床の奥と同じ熱環境を作り出す。
【発明の効果】
【００１８】
以上説明したように本発明は、焼成炉内の上面と底面にそれぞれヒータを備え、焼成炉の前面に設けたドアに前記ヒータの輻射熱を受けるためのパネルを設けたので、上下のヒータからの輻射熱をパネルが受けることにより、パネルが加熱され、さらに、パネルからも輻射熱が発せられる状態となり、焼成炉の奥の温度とドア近くの温度差を少なくできるために焼成物の焼き色差が無くなるという効果がある。
【００１９】
また、本発明は、パンや菓子などを焼成するための炉内と、前記炉内を覆っている断熱材と、オーブンの外郭を形成している外郭部と、前記炉内に設置している上火用ヒータと、前記炉内に設置している下火用ヒータと、前記炉内の底に設置された炉床と、前記炉内に焼成物を出し入れするためのドアと、前記ドア部に設置されたガラス窓と、前記ドアに取り付けられて、前記上火用ヒータと前記下火用ヒータの輻射熱を受けるパネルを設け、前記ガラス窓から炉内の焼成物を確認できるように前記パネルを前記ガラス窓の下方に配置したもので、上火用ヒータと下火用ヒータからの輻射熱によりパネルを加熱させ、パネルの発熱による焼成物の焼き色差が無くなるという効果がある。またガラス窓の下方にパネルを配置したことで、炉内の焼成物を見る際にパネルが視界を遮ることがなく容易に確認できる効果がある。
【００２０】
また、本発明は、パンや菓子などを焼成するための炉内と、前記炉内を覆っている断熱材と、オーブンの外郭を形成している外郭部と、前記炉内に設置している上火用ヒータと、前記炉内に設置している下火用ヒータと、前記炉内の底に設置された炉床と、前記炉内に焼成物を出し入れするためのドアと、前記ドア部に設置されたガラス窓と、前記炉床のドア側が高くなるように傾斜を設けたことにより、炉床のドア側を高くすることにより、炉床のドア側が上火用ヒータに近くなり、上火用ヒータから得られる輻射熱を増加させることで、ドアより逃げる輻射熱を差し引いても、炉床の奥と同じ熱環境を作り出すことができ、これにより炉内奥に設置された焼成物と、ドア周辺に設置された焼成物の焼き色差が無くなるという効果がある。
【発明を実施するための最良の形態】
【００２１】
本発明の請求項１に記載の発明は、パンや菓子などを焼成するためオーブン釜において、焼成炉内の上面と底面にそれぞれヒータを備え、焼成炉の前面に設けた扉に前記ヒータの輻射熱を受けるためのパネルを設けたものであり、上下のヒータからの輻射熱をパネルが受けることにより、パネルが加熱され、さらに、パネルからも輻射熱が発せられる状態となり、焼成炉の奥の温度とドア近くの温度差を少なくできるために焼成物の焼きむらを少なくする。
【００２２】
本発明の請求項２に記載の発明は、パンや菓子などを焼成するための炉内と、前記炉内を覆っている断熱材と、オーブンの外郭を形成している外郭部と、前記炉内に設置している上火用ヒータと、前記炉内に設置している下火用ヒータと、前記炉内の底に設置された炉床と、前記炉内に焼成物を出し入れするためのドアと、前記ドアに設置されたガラス窓と、前記ドアに取り付けられて、前記上火用ヒータと前記下火用ヒータの輻射熱を受けるパネルを設け、前記ガラス窓から炉内の焼成物を確認できるように前記パネルを前記ガラス窓の下方に配置したもので、上火用ヒータと下火用ヒータからの輻射熱によりパネルを加熱させ、パネルの発熱による焼成物の焼きむらを少なくするとともに、ガラス窓の下方にパネルを配置したことで、炉内の焼成物を見る際にパネルが視界を遮ることがなく容易に確認できる。
【００２３】
請求項３に記載の発明は、パンや菓子などを焼成するための炉内と、前記炉内を覆っている断熱材と、オーブンの外郭を形成している外郭部と、前記炉内に設置している上火用ヒータと、前記炉内に設置している下火用ヒータと、前記炉内の底に設置された炉床と、前記炉内に焼成物を出し入れするためのドアと、前記ドアに設置されたガラス窓とからなり、前記炉床のドア側が高くなるように傾斜を設けたものあり、炉床のドア側を高くすることにより、炉床のドア側が上火用ヒータに近くなり、上火用ヒータから得られる輻射熱を増加させることで、ドアより逃げる輻射熱を差し引いても、炉床の奥と同じ熱環境を作り出す。
【００２４】
請求項４に記載の発明は、請求項３に記載の発明において、さらに、炉床の前端部に高さを調節できる調節機構を設けたものであり、炉床の前端部の高さを調節できるようにしたことで、焼成物の大きさや状態、また、炉内のヒータの輻射熱の状態によって、ドア側の炉床の受ける輻射熱を調節し、常に炉床の奥と同じ熱環境を作り出す。
【００２５】
以下、本発明による自然対流式固定オーブン釜の実施の形態について、
図面を参照しながら説明する。
【００２６】
なお、従来と同一構成については、同一符号を付して詳細な説明を省略する。
【００２７】
（実施の形態１）
図１は、本発明の実施の形態１による自然対流式固定オーブン釜の断面図である。
【００２８】
炉内１はパンや菓子などを焼成するための室で、断熱材２は炉内１を覆っており、外郭部３がオーブンの外郭を形成している。
【００２９】
炉内１には上火用ヒータ４と下火用ヒータ５を設置し、炉内１の底には炉床６が設置されている。炉内１に焼成物を出し入れするためにドア７が設けられ、ドア７には内部を見るためのガラス窓８から構成されている。
【００３０】
さらに炉内１とドア７を密閉させるためのガスケット９、ドア７を開閉するためのヒンジ１０が設けられ、ドア７のガラス窓の下方には上火用ヒータ４と下火用ヒータ５の輻射熱の影響を受けるパネル１１が取付けられている。
【００３１】
パネル１１はドア側に配置された焼成物１２に近づける位置に配置され、かつガラス窓８から内部を覗いた時に、焼成物１２を遮ることがないような形状で、ガラス窓の下方に取付けられている。
【００３２】
以上のように構成された自然対流式固定オーブン釜について、以下その動作を説明する。
【００３３】
菓子やパンを焼成する場合、予め上火用ヒータ４と、下火用ヒータ５を通電させて、炉内１を焼成するために適した温度に上げておく。
【００３４】
次に焼成物（菓子やパン）１２を出し入れするためのドア７を開けて、焼成物１２を複数炉内１の炉床６の上に置き、ドア７を閉めて焼成を行う。この時、予め炉内１を均一な温度に予熱できていたとしても、ドア７を開けることによって炉内１の熱が外気に移動して炉内１の温度が不均一になる。焼成物１２を炉内１に複数入れた後、ドア７を閉めても、炉内１奥と、手前のドア７周辺では温度差が生じる。また、炉内１面とドア７のガラス窓８面では材料の違いによる熱容量、断熱の差から、温度差を完全に無くすのは難しい。
【００３５】
本実施の形態では、ドア７にパネル１１を設置。ドア７を閉めたとき、パネル１１は炉内１前面、すなわちドア７周辺に置いた焼成物１２の前面に設置される。このパネル１１は上火ヒータ４と下火ヒータ５の影響を受けた炉床６から輻射、反射熱の影響を受けて、ドア７、ガラス窓８よりも温度が高く、炉内１後面とほぼ同等温度になる。
【００３６】
以上のように、本実施の形態の自然対流式固定オーブン釜は、ドア７周辺の焼成物１２はパネル１１からの反射熱の影響を受けて炉内１奥とほぼ同条件の熱量を与えられて炉内１奥に設置された焼成物との焼き色差を無くすことができる。
【００３７】
（実施の形態２）
図２は、本発明の実施の形態２による自然対流式固定オーブン釜の断面図である。図３は同実施の形態の自然対流式固定オーブン釜の炉床部分の詳細図である。
【００３８】
炉内１からヒンジ１０は実施の形態１と同一であるので説明を省略する。
【００３９】
図３の炉床６ｂはドア側の前端部をＬ字状に曲げ高さを調節するための孔１４が複数設けてある。孔１４は長孔でもよい。調節部材１２は炉床１に取付けられており、炉床６ｂの孔１４と係止するねじ孔１５が設けられている。１３は炉床１と調節部材１２を接続するためのネジである。
【００４０】
炉床６ｂは、図２に示すように調節部材１２とねじ１３によって、ドア側が高くなるように傾斜させて取付けられている。
【００４１】
以上のように構成された自然対流式固定オーブン釜について、以下その動作を説明する。
【００４２】
菓子やパンを焼成する場合、予め上火用ヒータ４と、下火用ヒータ５を通電させて、炉内１を焼成するために適した温度に上げておく。
【００４３】
次に焼成物（菓子やパン）を出し入れするためのドア７を開けて、焼成物を炉内１の炉床６の上に置き、ドア７を閉めて焼成を行う。この時、予め炉内１を均一な温度に予熱できていたとしても、ドア７を開けることによって炉内１の熱が外気に移動して炉内１の温度が不均一になる。焼成物を炉内１に複数入れた後、ドア７を閉めても、炉内１奥と、手前のドア７周辺では温度差が生じる。また、炉内１面とドア７のガラス窓８面では材料の違いによる熱容量、断熱の差から、温度差を完全に無くすのは難しい。
【００４４】
本実施の形態において、炉内に取り付けた部品Ａはネジによって炉床に接続されている。その接続される場所（高さ方向）によって炉床の後端を基準として前後水平角度を任意に変更することが出来、炉床の前を後ろよりも高くして後ろに向かって傾斜をつける。この事により炉内奥炉床と上ヒータの距離a、ドア周辺炉床と上ヒータの距離bが変わり（a＞b）、結果炉内奥よりもドア周辺の方が上ヒータからの輻射熱の影響が強くなる。
【００４５】
以上のように本実施の形態の自然対流式固定オーブン釜は、炉床６ｂの高さを炉床の奥より高くすることで、炉内1の奥面とドア７のガラス窓８面では材料の違いによる熱容量、断熱の差から生じる温度差をカバーして、ドア周辺は、炉内１奥とほぼ同条件の熱量を与えられて、内１奥に設置された焼成物との焼き色差を無くすことができる。
【００４６】
また、炉床６ｂの前端部に設けた複数の孔１４によって、炉床６ｂの前端の高さを容易に変えることで、焼成物１２の違いや、ヒータ４、５のばらつきを調整することができ、ドア周辺は、炉内１奥とほぼ同条件の熱量を与えられて、内１奥に設置された焼成物との焼き色差を無くすことができる。
【産業上の利用可能性】
【００４７】
以上のように本発明にかかる自然対流式固定オーブン釜は、焼成炉の奥の温度とドア近くの温度差を少なくできるために焼成物の焼き色差が無くなり、パンや菓子以外にも焼成用のオーブンに関する分野で有効に適用できる。
【図面の簡単な説明】
【００４８】
【図１】本発明による自然対流式固定オーブン釜の実施の形態１の断面図
【図２】本発明による自然対流式固定オーブン釜の実施の形態２の断面図
【図３】同実施の形態の自然対流式固定オーブン釜の炉床部分の詳細図
【図４】従来の自然対流式固定オーブン釜の断面図
【符号の説明】
【００４９】
１    炉内
２    断熱材
３    外郭部
４    上火用ヒータ
５    下火用ヒータ
６、６ｂ    炉床
７    ドア
８    ガラス窓
１１    パネル
１２    調節部材
１３    ネジ
【図１】
2005127626.tif 000003
【図２】
2005127626.tif 000004
【図３】
2005127626.tif 000005
【図４】
2005127626.tif 000006